(57)【要約】【課題】  瞬時にチェーンソーの刃の回転を停止させるとともに、作業性を低下させることのない防護材およびこの防護材を用いた防護履物を提供する。【解決手段】  防護材２は、５層構造であり、第１層目２１、第２層目２２、第４層目２４および第５層目２５に配置された基布３と、第３層目２３に配置された中間布４とを含む。基布３は、メッシュ状のベース部３１と、ベース部３１に織り込まれた経糸３２と、経糸３２に交差してベース部３１に織まれた緯糸３３とを含む。経糸３２と緯糸３３はほぼ直交する。経糸３２は、ウーリ加工された多数の合成繊維フィラメント束である。緯糸３３はウーリ加工をしない直線状の合成繊維フィラメント束である。経糸３２および緯糸３３のいずれも、ベース部３１には固着されず、外部からの引っ張りによって容易にベース部３１から引き抜かれるものである。【選択図】図２
2020020077.tif 000002
【特許請求の範囲】
【請求項１】
チェーンソーによる損傷事故から作業者を防護するための防護材であって、
前記防護材は、メッシュ状のベース部と、前記ベース部に織り込まれた経糸と、を含む基布を複数枚積層して構成されることを特徴とする防護材。
【請求項２】
前記経糸は、ウーリ加工された多数の合成繊維フィラメント束であることを特徴とする請求項１記載の防護材。
【請求項３】
前記基布は、前記経糸に交差して前記ベース部に織まれた緯糸をさらに含むことを特徴とする請求項１記載の防護材。
【請求項４】
前記基布の間に配置された中間布をさらに含み、
前記中間布は、合成繊維フィラメント束を格子織にしたものであることを特徴とする請求項１〜３のいずれかに記載の防護材。
【請求項５】
前記基布の間に配置された短冊布をさらに含み、
前記短冊布は、短辺および長辺を有し、経糸および緯糸のいずれか一方が前記長辺に沿って延びるとともに、前記短辺方向に複数並べられることを特徴とする請求項１〜３のいずれかに記載の防護材。
【請求項６】
履物本体および前記履物本体に取り付けられた防護材を備える防護履物であって、
前記履物本体は、表地材および裏地材を有し、
前記防護材は、前記表地材および前記裏地材の間に配置されるとともに、メッシュ状のベース部と、前記ベース部に織り込まれた経糸と、を含む基布を複数枚積層して構成されることを特徴とする防護履物。
【請求項７】
前記経糸は、ウーリ加工された多数の合成繊維フィラメント束であることを特徴とする請求項６記載の防護履物。
【請求項８】
前記基布は、前記経糸に交差して前記ベース部に織まれた緯糸をさらに含むことを特徴とする請求項６記載の防護履物。
【請求項９】
前記防護材は、前記基布の間に配置された中間布をさらに含み、
前記中間布は、合成繊維フィラメント束を格子織にしたものであることを特徴とする請求項６〜８のいずれかに記載の防護履物。
【請求項１０】
前記基布は、前記経糸および前記緯糸が履物軸方向に対して交差するように配置されることを特徴とする請求項６〜９のいずれかに記載の防護履物。
【請求項１１】
前記防護材は、前記履物軸方向に延びる溝部および畝部を交互に形成することを特徴とする請求項６〜１０のいずれかに記載の防護履物。
【請求項１２】
前記基布の間に配置された短冊布をさらに含み、
前記短冊布は、短辺および長辺を有し、経糸および緯糸のいずれか一方が前記長辺に沿って延びるとともに、前記短辺方向に複数並べられることを特徴とする請求項６〜８のいずれかに記載の防護履物。
【発明の詳細な説明】
【技術分野】
【０００１】
この発明は、伐採作業に用いられるチェーンソーによって誤って作業者が損傷を受けることを防ぐための防護材およびこの防護材を用いた防護履物に関する。
【背景技術】
【０００２】
従来、チェーンソーによって作業者が誤って損傷を受けることを防ぐための防護材は多数開示されている。例えば特許文献１（特開２００４−２５６９５２）によれば、防護衣の所望部分に防護布地を配置する。防護布地は、経糸および緯糸で構成されるとともに袋体の中で折りたたまれて積層される。防護布地にチェーンソーの刃が接触すると、経糸が刃によって引っ張られ、引っ張られた経糸がチェーンソーのスプロケットに絡み、チェーンを停止させる。すなわち、チェーンソーの刃が作業者の肌に接触する前にチェーンを停止させて、作業者の損傷を未然に防ぐことができる。
【先行技術文献】
【特許文献】
【０００３】
【特許文献１】特開２００４−２５６９５２号公報
【発明の概要】
【発明が解決しようとする課題】
【０００４】
特許文献１によれば、チェーンソーの刃によって引っ張られた経糸は伸びてちぎれることによってスプロケットに絡みつく。したがって、経糸が伸びて切れるまでの時間がかかる。また、防護布地を１０層にしているが、積層される布地が多くなればなるほど、防護衣全体が厚くなり、作業者の作業性が低下する。
【０００５】
この発明は、瞬時にチェーンソーの刃の回転を停止させるとともに、作業性を低下させることのない防護材およびこの防護材を用いた防護履物を提供することを課題とする。
【課題を解決するための手段】
【０００６】
この発明は、第１の発明および第２の発明を含む。
【０００７】
第１の発明は、チェーンソーによる損傷事故から作業者を防護するための防護材であって、前記防護材は、メッシュ状のベース部と、前記ベース部に織り込まれた経糸と、を含む基布を複数枚積層して構成されることを特徴とする。
【０００８】
第１の発明における前記経糸は、ウーリ加工された多数の合成繊維フィラメント束である形態を含む。
【０００９】
第１の発明における前記基布は、前記経糸に交差して前記ベース部に織まれた緯糸をさらに含む形態を含む。
【００１０】
第１の発明における防護材は、前記基布の間に配置された中間布をさらに含み、前記中間布は、合成繊維フィラメント束を格子織にした形態を含む。
【００１１】
第１の発明における防護材は、前記基布の間に配置された短冊布をさらに含み、前記短冊布は、短辺および長辺を有し、経糸および緯糸のいずれか一方が前記長辺に沿って延びるとともに、前記短辺方向に複数並べられる形態を含む。
【００１２】
第２の発明は、履物本体および前記履物本体に取り付けられた防護材を備える防護履物であって、前記履物本体は、表地材および裏地材を有し、前記防護材は、前記表地材および前記裏地材の間に配置されるとともに、メッシュ状のベース部と、前記ベース部に織り込まれた経糸と、を含む基布を複数枚積層して構成されることを特徴とする。
【００１３】
第２の発明における前記経糸は、ウーリ加工された多数の合成繊維フィラメント束である形態を含む。
【００１４】
第２の発明における前記基布は、前記経糸に交差して前記ベース部に織まれた緯糸をさらに含む形態を含む。
【００１５】
第２の発明における前記防護材は、前記基布の間に配置された中間布をさらに含み、前記中間布は、合成繊維フィラメント束を格子織にした形態を含む。
【００１６】
第２の発明における前記基布は、経糸および緯糸が履物軸方向に対して交差するように配置される形態を含む。
【００１７】
第２の発明における前記防護材は、前記履物軸方向に延びる溝部および畝部を交互に形成する形態を含む。
【００１８】
第２の発明における防護材は、前記基布の間に配置された短冊布をさらに含み、前記短冊布は、短辺および長辺を有し、経糸および緯糸のいずれか一方が前記長辺に沿って延びるとともに、前記短辺方向に複数並べられる形態を含む。
【発明の効果】
【００１９】
この発明に係る防護材は、メッシュ状のベース部と、ベース部に織り込まれた経糸と、を含む基布が複数枚積層されたものである。したがって、経糸が基布の厚さ方向に広がるのを抑えることができ、複数枚積層したとしても全体的に厚くなるのを抑制することができ、作業者の作業性を低下させることがない。また、経糸はベース部に編み込まれているだけなのでチェーンソーの刃が接触した際には容易にかつ瞬時にベース部から引き抜かれる。経糸はチェーンソーのスプロケットに絡みついて瞬時に刃の回転を停止させることができる。
【図面の簡単な説明】
【００２０】
【図１】この発明の防護履物の一例としての先しん付スパイクブーツの斜視図。
【図２】実施例１の防護材の構成概要図。
【図３】実施例１の基布の構成概要図。
【図４】実施例１の中間布の構成概要図。
【図５】実施例１の防護材のギャザー加工を示した概要図。
【図６】実施例２の防護材の構成概要図。
【発明を実施するための形態】
【００２１】
この実施形態において、伐採作業時に用いられる先しん付スパイクブーツ（ＪＩＳ  Ｔ８１０１準拠）を防護履物の一例として説明する。図１に示したように、先しん付スパイクブーツは、履物本体１と履物本体１に取り付けられた防護材２とを含む。履物本体１は、底部１１と胛部１２と胴部１３とを有し、底部１１に滑り止め用のスパイク１４が複数設けられるとともに、胛部１２と胴部１３とによって作業者の脚を種々の要因から保護する。履物本体１は、ゴム製の表地材１５と、その反対側に位置する裏地材１６とを有する。裏地材１６としては例えば、ダブルラッセルを用いることができる。表地材１５と裏地材１６の間には、防護材２が配置される。この実施形態において防護材２は履物本体１の前方であって胛部１２および胴部１３にわたって配置される。すなわち着用時において作業者の脛に対応する部分に防護材２が配置される。
【００２２】
（実施例１）
実施例１における防護材２の態様を図２〜図５に示す。図２に示したように、防護材２は、５層構造であり、第１層目２１、第２層目２２、第４層目２４および第５層目２５に配置された基布３と、第３層目２３に配置された中間布４とを含む。この実施形態において第１層目２１が表地材１５側に位置し、第５層目２５が裏地材１６側に位置する。
【００２３】
図３に示したように、基布３は、メッシュ状のベース部３１と、ベース部３１に織り込まれた経糸３２と、経糸３２に交差してベース部３１に織まれた緯糸３３とを含む。この実施形態において経糸３２と緯糸３３はほぼ直交する。経糸３２は、ウーリ加工された多数の合成繊維フィラメント束である。緯糸３３はウーリ加工をしない直線状の合成繊維フィラメント束である。経糸３２および緯糸３３のいずれも、ベース部３１には固着されず、外部からの引っ張りによって容易にベース部３１から引き抜かれるものである。基布３は、交織率が緯糸３３＞経糸３２＞ベース部３１となるように構成され、好ましくは緯糸が５０％以上とする。
【００２４】
図４に示したように中間布４は、合成繊維フィラメント束を格子織にしたものであり、互いのフィラメント束は、互いに固着されない。したがって、外部からの引っ張りによって、織られたフィラメント束は容易にほどける。
【００２５】
これら基布３および中間布４からなる防護材２は、隣接する布同士が、弱い結合力で互いに連結されるか、または全く連結されない。弱い結合力で互いに連結するとは、間欠的に極弱い接着剤または縫製により結合されるが、引っ張りによって容易に基布３および中間布４を構成するフィラメント束が引き抜かれる状態をいう。
【００２６】
上記のような防護材２は、基布３の経糸３２および緯糸３３が履物本体１の軸方向１７に対して約４５°の角度で交差するように配置される。履物本体１は、胛部１２から胴部１３にかけて湾曲しているが、基布３をこのように配置することによって、胛部１２および胴部１３に沿って湾曲しやすく、防護材２を履物本体１の表地材１５および裏地材１６に密着しやすくすることができる。さらに、湾曲しやすいことから、これを着用した作業者に柔軟性のある使用感を与えることができ作業効率の低下を招く虞がない。
【００２７】
図５に示したように防護材２は、さらに軸方向１７に延びる溝部２６および畝部２７を交互に形成するようにギャザー加工することができる。このように加工することによって胛部１２または胴部１３の丸みに沿って湾曲しやすくすることができる。ギャザー加工は、例えば軸方向１７に交差する方向に延びる並縫いをし、糸を引いてギャザーを寄せる方法によって容易に行うことができる。また、軸方向１７に間欠的に複数の並縫いをし、その一部の糸を他の糸よりも強く引くことによって、溝部２６および畝部２７の間隔の短いギャザーを構成することができる。すなわち、強く引いた糸の部分が他の部分よりも細く絞られた形状にすることができる。この絞られた部分を胛部１２と胴部１３との境界部分に配置することによって、より一層防護材２を履物本体１に密着させることができる。
【００２８】
なお、防護材２にギャザー加工する方法は、上記の方法に限定されるものではない。また、ギャザー加工の代わりに、あるいはこれと併せてプレス加工することもできる。具体的には、防護材２を所望の形状の金属製の雄型および雌型の間に挟み、これを加圧および加熱することによって該所望の形状に癖付けすることができる。このように癖付けすることによって所望の形状を維持することができ、履物本体１として成形しやすい。
【００２９】
上記のような防護材２を用いた先しん付スパイクブーツによれば、誤ってチェーンソーの刃が回転しながら履物本体１の胛部１２または胴部１３に接触すると、刃は表地材１５を切断し防護材２のフィラメント束に接触する。刃がフィラメント束に接触すると、これを刃先に引っ掛けて回転方向へと引っ張る。基布３の経糸３２および緯糸３３は、容易に引き抜かれる構成であり、瞬時に刃先に絡みつく。特に、経糸３２はウーリ加工されているから、引き抜かれると同時にその体積を増して刃先に引っ掛かる。刃先に引っ掛かったフィラメント束は、チェーンソーの回転速度によって瞬時にスプロケットに到達し、スプロケットを締め付ける。スプロケットが締め付けられるとチェーンソーの安全装置が作動し、回転が停止する。
【００３０】
この実施形態において経糸３２がウーリ加工される一方、緯糸３３はウーリ加工されていない。経糸３２および緯糸３３の一方のみをウーリ加工し、他方を直線状にすることによって、互いの摩擦抵抗を一定範囲内にすることができ、引っ張りによって抜けやすく、かつ、スプロケットに絡みやすい構成を実現している。すなわち、例えば経糸３２および緯糸３３の両方を直線状にして摩擦抵抗値が一定よりも小さくした場合には、引き抜かれた経糸または緯糸がチェーンソーのスプロケットに絡みつかなくなってしまう。すなわち、チェーンソーの刃が接触することによって大量のフィラメント束が瞬時に引き抜かれるものの、防護材２から噴出するように飛び散ってしまい、スプロケットに到達し絡みつくフィラメント束の量が少なくなってしまうという現象が生じる。例えば経糸３２および緯糸３３の両方をウーリ加工し摩擦抵抗値が一定よりも大きくした場合には、チェーンソーの刃が基布３自体を容易に切り裂いてしまい、ほとんどフィラメント束が引き抜かれないという現象が生じる。さらに、容易に引き抜かれる緯糸３３の交織率を５０％以上としているので、引き抜かれるフィラメント束を大量に確保することができ、確実にスプロケットにフィラメント束が絡みつく構成を実現している。
【００３１】
中間布４を用いることによって、基布３との間における摩擦抵抗値を大きくしているものと考えられる。この実施形態における基布３においては、摩擦抵抗値が若干小さいものと推察され、これを中間布４で補っているものと考えられる。したがって、中間布４の存在により、これがない場合に比べて基布３におけるフィラメント束の対する引っ張りを確実なものとすることができる。
【００３２】
上記のように、この実施形態における防護材２を用いることによって、瞬時にチェーンソーの回転を停止させることができ、しかもこれを用いた先しん付スパイクブーツにおいては作業員の作業性を妨げることがない。
この実施形態において履物として先しん付スパイクブーツを用いているがこれに限定されるものではない。例えば、地下足袋や他の履物に適用することも可能である。さらに、防護材２は履物だけでなく、コンパクトな装着性および収納性を要求される作業服等の他の着用物品、その他の物品に用いることもできる。
【００３３】
この実施例では、基布３のベース部３１としてポリエステルを用いたフィラメント束によってメッシュを構成する。ベース部３１のフィラメント数は３６としている。経糸３２および緯糸３３は、いずれもポリエステルを用いたフィラメント束であり、経糸３２のフィラメント数を２８８、緯糸３３のフィラメント数を１９２としている。
中間布４として、例えば株式会社クラレ製の「ベクトラン(商標)」を用いた格子織布地を用いることができる。
【００３４】
上記のような防護材２を用い、ＪＩＳ  Ｔ８１２５−３に準じた試験をおこなった。すなわち、防護材２の第１層目２１から第５層目２５に向かって、駆動状態のチェーンソー刃を接触させた。その結果、チェーンソーの刃が防護材２に接触した直後、多数のフィラメント束が刃に引っ張られると同時にスプロケットに絡みつき、安全装置が作動してチェーンソーの刃が停止した。この時、チェーンソーの刃は防護材２の第５層目２５までは到達することはなかった。すなわち、防護材２を貫通する前にチェーンソーが停止するから、作業者の身体に刃が接触することはなく、安全性を確保した防護材を提供することができる。
【００３５】
この実施形態において、防護材２の第１層目２１、第２層目２２、第４層目２４および第５層目２５に基布３を用いているが、この枚数および順序に限定されるものではない。また、中間布４は第３層目２３に配置しているが、これも任意で変更可能である。防護材２に用いられるフィラメント束の種類は適宜選択可能であり、この分野において用いられる素材を使用することができる。
【００３６】
（実施例２）
実施例２における防護材２の態様を図６に示す。防護材２は、複数の基布３と、これら基布３の間に配置された短冊布５とによって構成される。短冊布５は、基布３と同様の構成の生地を用い、これを経糸３２に沿って縦長に切断した縦短冊布５Ａと、緯糸３３に沿って横長に切断した横短冊布５Ｂとを含む。縦短冊布５Ａおよび横短冊布５Ｂの短辺の長さは約５ｃｍとする。
【００３７】
この実施例において、基布３は３枚であり、実施例１と同様に経糸３２および緯糸３３が履物本体１の軸方向１７に対して約４５°の角度で交差するように配置する。１枚目の基布３と２枚目の基布３との間には、縦短冊布５Ａを配置し、２枚目と３枚目の基布３の間には横短冊布５Ｂを配置する。縦短冊布５Ａは、短辺方向に複数枚隙間なく並べられるとともに、軸方向１７に対して経糸３２が平行になるように配置される。横短冊布５Ｂも、同様に短辺方向に複数枚隙間なく並べられるとともに、軸方向に対して緯糸３３が平行になるように配置される。
【００３８】
このような防護材２によれば、軸方向１７に延びる短冊布５を用いることによって、湾曲しやすくすることができ、履物本体１に密着させることができる。また、切創方向は軸方向１７に略直角に交差するから、チェーンソーの刃がこの防護材２に接触した場合には、軸方向１７に延びる長いフィラメント束を引き抜くことができ、効果的にスプロケットを締め付けることができる。
【００３９】
また、基布３のように経糸３２が軸方向１７に対して約４５°の角度で交差するように配置した場合、チェーンソーの刃も経糸３２に対して約４５°の角度で接触する。このように接触すると経糸３２に対して約９０°の角度で接触した場合に比べて、フィラメント束の引き抜き性が低くなる傾向がみられる。しかし、この実施例のように基布３の間に縦短冊布５Ａおよび横短冊布５Ｂを配置することによって、これらのフィラメント束は切創方向に対して約直角に交差するから高い引き抜き性を維持することができ、基布３で低下した引き抜き性を担保することができる。
【００４０】
縦短冊布５Ａおよび横短冊布５Ｂは、その長手方向における寸法を２倍にするとともに、長手方向に交差する折り曲げ線に沿って折りたたみ２枚重ねとすることもできる。この場合にはより一層引き抜かれるフィラメント束を長くすることができ、強固にスプロケットに絡みつかせることができる。２枚重ねにした場合であっても、短冊状にすることによって履物本体１への密着性を損なうことがない。なお、防護材２における基布３の積層枚数は適宜変更可能である。また、縦短冊布５Ａおよび横短冊布５Ｂの枚数、並べ方も、種々変更可能であるとともに、その寸法も制限させるものではない。
【符号の説明】
【００４１】
１    履物本体
２    防護材
３    基布
４    中間布
５    短冊布
１５    表地材
１６    裏地材
２６    溝部
２７    畝部
３１    ベース部
３２    経糸
３３    緯糸
【図１】
2020020077.tif 000003
【図２】
2020020077.tif 000004
【図３】
2020020077.tif 000005
【図４】
2020020077.tif 000006
【図５】
2020020077.tif 000007
【図６】
2020020077.tif 000008